(57)【特許請求の範囲】
【請求項１】
第１の背板、可動板、及び第２の背板が、折り線を介して折り曲げ可能に連接された背面板と、
前記第１の背板、又は前記第２の背板の前面に設けられる一又は複数の収納部と、
前記第１の背板の背面の左右両端に沿って延設される支持部と、
を備える展示台であって、
前記第１の背板、前記可動板、及び前記第２の背板を垂直方向に展開して、前記第１の背板、前記可動板、及び前記第２の背板が平坦状に配置される吊下展示状態と、
前記可動板を水平方向へ折り曲げて、前記支持部の下方端部を設置面に当接させ、前記収納部が階段状に配置される第２の載置展示状態と、
を選択可能であり、
前記第２の背板の背面の左右両端に沿って延設される支持部を更に備え、
前記吊下展示状態において、前記第１の背板の背面に延設される支持部下方の端部と、前記第２の背板の背面に延設される支持部上方の端部が当接し、
各前記支持部は中空となっており、この中空部分に連通された紐状の部材を引き上げることによって、
前記第１の背板の背面に延設される支持部下方の端部と、前記第２の背板の背面に延設される支持部上方の端部を、当接した状態を保形することを特徴とする展示台。
【請求項２】
請求項１に記載の展示台であって、
前記支持部は、前記第１の背板又は前記第２の背板の左右両端部に設けられた折り曲げ片を折り曲げて形成されることを特徴とする展示台。
【請求項３】
請求項１、又は２に記載の展示台であって、
前記紐状の部材は、当該中空部分の一部を連通することを特徴とする展示台。
【請求項４】
請求項１乃至３の何れか一項に記載の展示台であって、
前記展示台は、少なくとも２以上の板状の部材を組み合わせてなる合成部材から構成されることを特徴とする展示台。
【発明の詳細な説明】
【技術分野】
【０００１】
本発明は、商品を陳列する展示台等の技術分野に関する。
【背景技術】
【０００２】
従来から、収納容器に包装された商品は、店舗（商品の販売場所等）のスペースを有効に活用し、かつ、消費者の注意を喚起し商品に対する購買意欲を惹起させるために、展示台の一形態であるいわゆる吊下げ陳列棚に収納されて、店頭に陳列されることが行われている。
【０００３】
特許文献１では、商品が上部から複数個挿入できる所要容積のストック部が支持体の前面に組み付けられた吊下げ型の陳列棚についての技術が開示されている。
【０００４】
また、特許文献２では、長辺方向の一方の端辺側に吊り下げ部を有する短冊形台紙の一方の面に、前記一方の端辺側に開口部を有する収納部が前記短冊形台紙の長辺方向に重なることなく連続して複数個設けられている展示販売用吊り下げ容器において、前記収納部が前記短冊形台紙の一方の面に表面板を固定することにより形成され、かつ、前記表面板の前記短冊形台紙の短辺方向の略中央部に前記短冊形台紙の長辺方向に平行な裂け目が形成されている展示販売用吊り下げ容器についての技術が開示されている。
【０００５】
また、特許文献３では、板紙素材から打ち抜いて筒貼りし、前面に収納部が形成される吊下展示用紙容器についての技術が開示されている。
【０００６】
また、特許文献４では、底辺よりも広い開口部を有する複数の陳列棚を帯状体の前面に備える商店提供用容器についての技術が開示されている。
【先行技術文献】
【特許文献】
【０００７】
【特許文献１】特開平９−１８３４３２号公報
【特許文献２】特開２０００−１８９２９８号公報
【特許文献３】特開２００１−６５９５９号公報
【特許文献４】特開２００５−８０６９６号公報
【発明の概要】
【発明が解決しようとする課題】
【０００８】
しかしながら、店舗のスペースや他の商品の陳列状態は、店舗に応じて異なるのが通常である。上記特許文献で開示される吊下げ陳列棚（当該特許文献で開示される吊下げ型の陳列棚、展示販売用吊り下げ容器、吊下展示用紙容器及び商店提供用容器の総称とする。）を用いて商品の陳列を行うためには、当該吊下げ陳列棚を吊下げられるスペースが必要であり、このようなスペースがなく、単に商品を陳列するスペース（例えば、店舗の平坦なスペースのみに商品を陳列して販売する店舗）しかない店舗では、当該吊下げ陳列棚を利用することができない。
【０００９】
また、現時点においては、先に吊下げ陳列棚が設置されており、新たに吊下げ陳列棚を設置できるスペースを確保することはできないが、先に設置された吊下げ陳列棚を引き上げる事情が生じた場合（例えば、先に設置された吊下げ陳列棚に収納される商品が全て売れた場合等）には、当該事情の変化が生じるまでは、吊下げ陳列棚を吊下げられるスペース以外の場所（例えば、店舗の平坦なスペース）で商品を展示し、事後的に、当該吊下げ陳列棚を利用することが考えられる。上記特許文献で開示される吊下げ陳列棚では、吊下げて商品を展示することしかできず、上述した販売状況の変化に機動的に対応することができない。
【００１０】
そこで、本発明は、上記問題点に鑑みてなされたものであり、その目的の一例は、種々の状況に応じて多様な形態で商品を展示することができる展示台等を提供することである。
【課題を解決するための手段】
【００１５】
請求項１に記載の発明は、第１の背板、可動板、及び第２の背板が、折り線を介して折り曲げ可能に連接された背面板と、前記第１の背板、又は前記第２の背板の前面に設けられる一又は複数の収納部と、前記第１の背板の背面の左右両端に沿って延設される支持部と、を備える展示台であって、前記第１の背板、前記可動板、及び前記第２の背板を垂直方向に展開して、前記第１の背板、前記可動板、及び前記第２の背板が平坦状に配置される吊下展示状態と、前記可動板を水平方向へ折り曲げて、前記支持部の下方端部を設置面に当接させ、前記収納部が階段状に配置される第２の載置展示状態と、を選択可能であり、前記第２の背板の背面の左右両端に沿って延設される支持部を更に備え、前記吊下展示状態において、前記第１の背板の背面に延設される支持部下方の端部と、前記第２の背板の背面に延設される支持部上方の端部が当接し、各前記支持部は中空となっており、この中空部分に連通された紐状の部材を引き上げることによって、前記第１の背板の背面に延設される支持部下方の端部と、前記第２の背板の背面に延設される支持部上方の端部を、当接した状態を保形することを特徴とする。
【００１６】
従って、種々の状況に応じて、多様な形態で商品を収納して展示することができる。
【００１８】
また、請求項２に記載の発明は、請求項１に記載の展示台であって、前記支持部は、前記第１の背板又は前記第２の背板の左右両端部に設けられた折り曲げ片を折り曲げて形成されることを特徴とする。
【００２０】
また、請求項３に記載の発明は、請求項１、又は２に記載の展示台であって、前記紐状の部材は、当該中空部分の一部を連通することを特徴とする。
【００２１】
また、請求項４に記載の発明は、請求項１乃至３の何れか一項に記載の展示台であって、前記展示台は、少なくとも２以上の板状の部材を組み合わせてなる合成部材から構成されることを特徴とする。
【発明の効果】
【００２２】
以上のように、本発明における展示台によれば、種々の状況に応じて、多様な形態で商品を陳列することができる。
【図面の簡単な説明】
【００２３】
【図１】第１実施形態にかかる展示台の吊下展示状態を示す斜視図である。
【図２】第１実施形態にかかる吊下展示状態における商品を収容した様子を示す概念図である。
【図３】第１実施形態にかかる展示台の吊下展示状態から載置展示状態への遷移を示す斜視図である。
【図４】第１実施形態にかかる展示台の載置展示状態を示す外観図である。
【図５】第１実施形態にかかる載置展示状態における商品を収容した様子を示す概念図である。
【図６】第１実施形態にかかる背面板の展開時の形状を示す展開図である。
【図７】第１実施形態にかかる収納部の展開時の形状を示す展開図である。
【図８】第２実施形態にかかる展示台の展開状態を示す斜視図である。
【図９】第２実施形態にかかる展示台の展開状態から展示状態への遷移を示す斜視図である。
【図１０】第２実施形態にかかる展示台の展示状態を示す斜視図である。
【図１１】第２実施形態にかかる展示台の展示状態における側面図を示す図である。
【図１２】第２実施形態にかかる展示状態における商品を載置した様子を示す概念図である。
【図１３】第２実施形態にかかる背面板の展開時の形状を示す展開図である。
【図１４】第３実施形態にかかる展示台の吊下展示状態を示す斜視図である。
【図１５】第３実施形態にかかる展示台の吊下展示状態から第２の載置展示状態への遷移を示す斜視図である。
【図１６】第３実施形態にかかる展示台の載置展示状態を示す外観図である。
【図１７】第３実施形態にかかる背面板の展開時の形状を示す展開図である。
【図１８】第４実施形態にかかる展示台の吊下展示状態から第２の載置展示状態への遷移を示す斜視図である。
【図１９】第４実施形態にかかる展示台の吊下展示状態を示す外観図である。
【図２０】第４実施形態にかかる背面板の展開時の形状を示す展開図である。
【図２１】第５実施形態にかかる展示台の吊下展示状態を示す外観図である。
【図２２】第５実施形態にかかる展示台の展示状態における側面図を示す図である。
【図２３】第５実施形態にかかる背面板の展開時の形状を示す展開図である。
【図２４】第５実施形態にかかる支持板の展開時の形状を示す展開図である。
【発明を実施するための形態】
【００２４】
以下に、本願の最良の実施形態を添付図面に基づいて説明する。
【００２５】
［１．第１実施形態］
まず、図１〜図５を用いて、第１実施形態にかかる展示台の使用状態について説明する。
【００２６】
図１は第１実施形態にかかる展示台の吊下展示状態を示す斜視図であり、図２は第１実施形態にかかる吊下展示状態における商品を収容した様子を示す概念図であり、図３は第１実施形態にかかる展示台の吊下展示状態から載置展示状態への遷移を示す斜視図であり、図４は第１実施形態にかかる展示台の載置展示状態を示す外観図であり、図５は第１実施形態にかかる載置展示状態における商品を収容した様子を示す概念図である。なお、各部材の詳細については後述する。また、以下のすべての図において、同一の部材名又は部材番号が示された部材は、少なくとも同一の構成及び同一の機能を有するものとする。なお、説明の便宜上、以下の全ての実施形態において、基部において、収納部が備えられる面を前面とし、当該収納部が備えられる面と対応する面を背面とする。
【００２７】
さらに、説明の便宜上、座標軸２００を定義する。座標軸２００において、Ｙ軸方向（紙面の鉛直方向）を総称して垂直方向と、Ｘ軸方向（紙面の水平方向）を水平方向とそれぞれ方向を定義する。さらに、Ｙ軸の矢印が示す方向を上方と、Ｙ軸の矢印が示す方向と対向する方向を下方とそれぞれ定義する。
【００２８】
図１に示すように、本実施形態にかかる展示台Ｓ１は、前面に収納部５０Ａ（本願の一又は複数の収納部の一例）が設けられる（例えば、粘着手段によって前面に固定される。）背板１（本願の第１の背板の一例）と、前面に収納部５０Ｂ（本願の一又は複数の収納部の一例）を有する背板２（本願の第２の背板の一例）が、折り線４及び折り線５（本願の折り線の一例）を介して可動板３（本願の可動板の一例）によって階段状に折り曲げ可能に連接される背面板Ａ（本願の背面板の一例）から構成される。
【００２９】
図１に示す例では、背板１、可動板３、及び背板２が垂直方向へ展開されて、これらが平坦状に配置されている。以下に説明する実施形態において、この状態を、吊下展示状態と定義する。なお、このとき、背板１の前面に設けられた収納部５０Ａ、及び背板２の前面に設けられた収納部５０Ｂは、垂直方向に配置されるようになっている。
【００３０】
また、粘着手段の一例としては、テープ、糊、面ファスナー等を用いて背板と収納部を貼着することができる。
【００３１】
図２に示すように、吊下展示状態では、壁等の壁面に設置された吊下具Ｐに、背板１に穿孔された穴部６及び穴部７に連通される紐８（紐状の部材の一例。）を係止（例えば、引っ掛ける）することにより、商品１００及び商品１０１を垂直方向に配列して展示することができる。
【００３２】
収納部５０Ａ及び収納部５０Ｂには、中敷板６９が設けられており、商品を載置可能な中敷板７０と、段差が設けられ中敷板７０よりも高い位置（上方）で商品を載置可能な中敷板６７に分けて、商品を収納することができる。
【００３３】
このように段差を設けることにより、後列に収納した商品の視認性を向上させることができる。
【００３４】
図３に示すように、可動板３を水平方向に折り曲げると、背板１と可動板３は折り線４を介して、背板２と可動板３は折り線５を介してそれぞれ連接されているため、図４に示すように、背板１、可動板３、背板２は階段状に配置される。このとき、背板１の前面に設けられた収納部５０Ａと背板２の前面に設けられた収納部５０Ｂも階段状に配置される。以下に説明する実施形態において、この状態を、載置展示状態と定義する。
【００３５】
そして本実施形態における載置展示状態において、実際に商品を展示する場合には、図５に示すように、展示台Ｓ１を、可動板３の背面及び背板２の背面が当接可能な固定台Ｐに載置する。展示台Ｓ１を、固定台Ｐに載置することによって、商品１００及び商品１０１がそれぞれ収納された収納部５０Ａ及び収納部５０Ｂが階段状に配置された状態が維持されるからである。
【００３６】
なお、固定台Ｐを用いなくても、すでに可動板３の背面及び背板２の背面が当接可能な段差を有する場所等に載置しても同様の効果を奏する。
【００３７】
このように、本実施形態における展示台Ｓ１は、固定台Ｐを用いれば平坦な場所しか有さない店舗でも商品を階段状に配置して展示することができるため、販売環境に応じて商品を展示することができる。
【００３８】
次に、図６及び図７を用いて、第１実施形態にかかる展示台の詳細について説明する。
【００３９】
まず、図６を用いて、第１実施形態にかかる背板の詳細について説明する。
【００４０】
図６は第１実施形態にかかる背面板の展開時の形状を示す展開図である。
【００４１】
図６に示すように、背面板Ａは、紙、上質紙、ボール紙やＰＥＴ材等の薄型樹脂製板材等の折り曲げ可能の板状の部材（本願の板状の部材の一例）を素材とし、背板１、可動板３及び背板２が、長手方向（垂直方向の下方）に、折り線４及び折り線５を介して、折り曲げ可能に順次（上方から下方へ向かって）連接されている。
【００４２】
背面板Ａは、上述した板状の部材を、この背面板Ａと略同じ形の金型（例えば、いわゆるビク型等）により打ち抜いて形成される。打ち抜かれる際に、図６における実線部分の切断が行われる。
【００４３】
なお、このような板状の部材を形成する金型は、合成樹脂により構成される製品を形成する金型のようにキャビティ型及びコア型から構成されるいわゆる二枚構造ではなく、また、イジェクタピン等の機構を備える必要がないため、低価格で製作することができる。
【００４４】
さらに、このような板状の部材を形成する金型は、合成樹脂により構成される製品を形成する金型のようにキャビティ型及びコア型が可動する駆動機構を備える必要がないため、低価格で製作することができる。
【００４５】
また、本実施形態においては、上記板状の部材として、少なくとも２以上の板状の部材を組み合わせてなる合成部材（例えば、３枚以上の板状の部材を組み合わせた、いわゆる三枚合紙）を適用するようにしてもよい。この場合、背面板Ａには、反り（そり）や歪みが発生しにくいという利点がある。
【００４６】
折り線４及び折り線５は、板状の部材を折り曲げ可能とするための処理が施されたものであり例えば、板状の部材から打ち抜かれて形成された背面板Ａに対して、筋付け（筋押し、又は筋入れ）、印刷による線の表示、ミシン目、連続するパンチ穴の集合、又はハーフカット等の各処理を施すことにより形成される。
【００４７】
なお、背面板Ａの材質に上記三枚合紙が適用される場合には、折り線が形成されるための処理として、ハーフカット（たとえば、上記三枚合紙を構成する板状の部材のうち一枚目あるいは、二枚目までを切断する処理）が施されるようになっている。上記部材にミシン目等の処理が適用されると、折り線が形成されず、当該部材を折り曲げた際に、切断されてしまうからである。
【００４８】
以下に示す実施形態において、他に示す折り線（例えば後述する収納部の折り線（図７参照）等）は、特に示す場合を除き、図面中において点線で示し、上述した特性を有する折り線を適用する。
【００４９】
なお、折り線４及び折り線５は、可動板３を折りたたみ可能に連結したものでもよく、例えば、板状の部材からそれぞれ別個に打ち抜かれた背板１、可動板３、及び背板２（すなわち、背板１、背板２、及び可動板３が分離している）を、テープ等で接合して連結するようにしてもよい。
【００５０】
穴部６及び穴部７は、紐８を連通するために穿孔された穴である。
【００５１】
紐８は、樹脂製材料や金属製材料等によって製造された紐状の部材（例えば、紐、釣り糸やワイヤー等）である。
【００５２】
挿入穴９及び挿入穴１０は、後述する収納部の挿入片がそれぞれ挿入されるための穴であり、例えば、挿入された挿入片が折り返され、背面板Ａの背面にテープ等の粘着手段により固着することにより、基部１（２）と収納部５０Ａ（５０Ｂ）が固着される。なお、背板１等と、収納部５０Ａ等が当接する面も併せて粘着手段により固着するようにしてもよい。この場合、背板１等と、収納部５０Ａ等の接合強度が増加する。
【００５３】
次に、図７を用いて、第１実施形態にかかる収納部の詳細について説明する。
【００５４】
図７は第１実施形態にかかる収納部の展開時の形状を示す展開図である。
【００５５】
収納部５０Ａ及び収納部５０Ｂは同一の形状となっており、上述した板状の部材を、この収納部５０Ａ及び収納部５０Ｂと略同じ形の金型により打ち抜いて形成される。打ち抜かれる際に、図７における実線部分の切断が行われる。
【００５６】
図７に示すように、前面板５１の一側縁には側面板５２及び糊代５３が、他側縁には側面板５４及び後面板５５が、折り線（図７の破線部を示す）を介してそれぞれ順次連接されている。前面板５１、側面板５２、側面板５４及び後面板５５の下端縁にはそれぞれ底面片５６〜底面片５９が、上端縁には補強片６０と糊代６１、補強片６２とその糊代６３、及び補強片６４とその糊代６５がそれぞれ折り線を介して連接されている。また、後面板５５には、挿入穴９に挿入される挿入片７１が形成され、上端縁には、中敷板６６〜中敷板７０が折り線を介して順次連接されている。
【００５７】
この収納部５０Ａを組み立てる方法の一例としては、まず、前面板５１、側面板５２、側面板５４、及び後面板５５を筒状に折り曲げて、糊代５３を後面板５５の裏面に貼着（固着）する。
【００５８】
そして、底面片５６を先に折り曲げ、底面片５６の下端縁に形成された凹部へ、底面片５７〜５９の下端縁に形成された凸部を、底面片５７〜５９を折り曲げて順次挿入する。この凸部と凹部が互いに係合し、収納部５０Ａの底部は補形される。
【００５９】
なお、上記挿入する際に、底面片５６〜５９を互いに貼着することにより、収納部５０Ａの底部の強度がさらに増加し、多数の重量のある商品を収納することができる。
【００６０】
次に、中敷板６６を後面板５５へ近接させる方向（上記筒状に折り曲げられた筒の内部方向）へ折り曲げ、互いに当接させる。そして、中敷板６７を、折り曲げた中敷板６６と略垂直を保つ角度に折り曲げる（即ち、直角に折り曲げる）。次いで、中敷板６８を、折り曲げた中敷板６７と略垂直を保つ角度に折り曲げた後、中敷板６８と中敷板６９を近接させる方向へ折り曲げ、互いに当接させる。この時、中敷板６９に形成された挿入片６９ａを、補強片６２に形成された挿入穴６２ａへ、中敷板６９に形成された挿入片６９ｂを、補強片６４に形成された挿入穴６４ａへ、それぞれ挿入する。
【００６１】
そして、中敷板７０を、折り曲げた中敷板６９と略垂直を保つ角度に折り曲げた後、収納部５０Ａの底部へ貼着する。
【００６２】
以上説明したように、本実施形態によれば、背板１、可動板３、及び背板２が、折り線４及び５を介して折り曲げ可能に順次連接され、階段状に折り曲げ可能とした背面板Ａと、背板１の前面に設けられる収納部５０Ａと、背板２の前面に設けられる収納部５０Ｂと、を備える展示台Ｓ１であって、背板１、可動板３、及び背板２を垂直方向に展開して、背板１、可動板３、及び背板２が垂直方向に配置される吊下展示状態と、可動板３を水平方向へ折り曲げて、背板１、可動板３、及び背板２が階段状に配置される載置展示状態と、を選択可能とするように構成したため、種々の状況に応じて、多様な形態で商品を展示することができる。
【００６３】
なお、以上説明した実施形態は特許請求の範囲にかかる発明を限定するものではない。そして、上記実施形態の中で説明されている構成の組み合わせ全てが発明の課題解決に必須の手段であるとは限らない。
【００６４】
具体的には、収納部に収納される商品は、任意に選択することができ、例えば、食品（ガム、飴等）、化粧品、文房具（例えば、糊等）、家電製品（例えば、充電池等）等を収納した容器を適用することができる。収納部の形状（図７に示す展開図）は、収納される商品の大きさや数量に応じて、適宜変更することができる。
【００６５】
［２．第２実施形態］
次に、図８〜図１３を用いて、第２実施形態にかかる展示台について説明する。
【００６６】
第２実施形態にかかる展示台が、第１実施形態にかかる展示台Ｓ１と異なる点は、背板の背面に支持部を設け、収納部を設けないことである。
【００６７】
まず、図８〜図１２を用いて、第２実施形態にかかる展示台の使用状態について説明する。図８は第２実施形態にかかる展示台の展開状態を示す斜視図であり、図９は第２実施形態にかかる展示台の展開状態から展示状態への遷移を示す斜視図であり、図１０は第２実施形態にかかる展示台の展示状態を示す斜視図であり、図１１は第２実施形態にかかる展示台の展示状態における側面図を示す図であり、図１２は第２実施形態にかかる展示状態における商品を載置した様子を示す概念図である。なお、説明の便宜上、各図において、基部の支持部が延設される側を背面とする。同様に、説明の便宜上、各図において、図の矢印Ｚの方向（対向する支持部が近接する方向）を内側方向と、図の矢印Ｚ´の方向を外側方向と定義する。
【００６８】
図８に示すように、本実施形態にかかる展示台Ｓ２の背板１（本願の第１の背板の一例）は、背板１の背面の左右両端に沿って、背板１と可動板３（本願の可動板の一例）を連接する折り線４（本願の折り線の一例）を超えて延設される支持部１１及び支持部１５（本願の支持部の一例）を有する。また、背板２（本願の第２の背板の一例）は、背板２（本願の第２の背板の一例）の背面の左右両端に沿って延設される支持部２１及び支持部２３（本願の支持部の一例）を有する。
【００６９】
この図８に示す例では、背板１、可動板３、及び背板２（即ち、収納部を有さない背面板Ｂ）が垂直方向へ展開されて、これらが平坦状に配置されている。以下に説明する実施形態において、この状態を、展開状態と定義する。この展開状態では、展示台Ｓ２の水平方向の長さを短くすることができるため（即ち、展開状態の展示台Ｓ２の水平方向の幅を薄くできる）、展示台Ｓ２を保管する際にかさばらず、優れた収納性を発揮する。
【００７０】
図９に示すように、可動板３を水平方向に折り曲げると、背板１と可動板３は折り線４を介して、背板２と可動板３は折り線５を介してそれぞれ連接されているため、支持部１１及び支持部１５の下方端部（図９のハッチング部分Ｈ）を設置面に当接させると、図１０に示すように、背板１、可動板３、背板２は階段状に配置される。以下に示す実施形態において、この状態を、展示状態と定義する。なお、図１１に示すように、支持部２１の下方端部には一部面取加工（下方端部の一部である三角錐部分を取り除く）が施されている。このように構成することによって、展示状態において、可動板３がより水平に近い状態に配置されることとなり、より安定した状態で商品を載置することができる（いわゆる、「すわりがよくなる」状態となる）。
【００７１】
そして、展示状態において実際に商品を展示する場合には、図１２に示すように、商品１０１を可動板３の上面に載置する。
【００７２】
このように、本実施形態における展示台Ｓ２は、平坦な場所しか有さない店舗でも商品を階段状に配置して展示することができるため、販売環境に応じて商品を展示することができる。
【００７３】
次に、図１３を用いて、第２実施形態にかかる展示台の詳細について説明する。
【００７４】
図１３は第２実施形態にかかる背面板の展開時の形状を示す展開図である。
【００７５】
図１３に示すように、背面板Ｂは、紙、上質紙、ボール紙やＰＥＴ材等の薄型樹脂製板材等の折り曲げ可能の板状の部材を素材とし、背板１、可動板３及び背板２が、長手方向に、折り線４及び折り線５を介して、折り曲げ可能に順次（上方から下方へ向かって）連接されている。
【００７６】
さらに、背板１の右側端部には、折り線１２ａ〜１２ｄを介して、折り曲げ片１１ａ〜１１ｄ（本願の折り曲げ片の一例）が順次連接されている。支持部１１は、折り曲げ片１１ａ〜１１ｄを、折り線１２ａ〜１２ｄの部位で横断面略三角状に折り曲げて形成されるようになっている。
【００７７】
また、背板１の左側端部には、折り線１６ａ〜１６ｄを介して、折り曲げ片１５ａ〜１５ｄ（本願の折り曲げ片の一例）が順次連接されている。支持部１１と同様に、支持部１５は、折り曲げ片１５ａ〜１５ｄを、折り線１６ａ〜１６ｄの部位で横断面略三角状に折り曲げて形成される。
【００７８】
また、背板２の右側端部には、折り線２２ａ〜２２ｃを介して、折り曲げ片２１ａ〜２１ｃ（本願の折り曲げ片の一例）が順次連接されている。支持部１１等と同様に、支持部２１は、折り曲げ片２１ａ〜２１ｃを、折り線２２ａ〜２２ｃの部位で横断面略三角状に折り曲げて形成される。
【００７９】
また、支持部背板２の左側端部には、折り線２４ａ〜２４ｃを介して、折り曲げ片２３ａ〜２３ｃ（本願の折り曲げ片の一例）が順次連接されている。支持部１１等と同様に、支持部２３は、折り曲げ片２３ａ〜２３ｃを、折り線２４ａ〜２４ｃの部位で横断面略三角状に折り曲げて形成される。
【００８０】
背面板Ｂは、上述した板状の部材を、この背面板Ｂと略同じ形の金型（例えば、いわゆるビク型等）により打ち抜いて形成される。打ち抜かれる際に、図１３における実線部分の切断が行われる。
【００８１】
この収展示台Ｓ２を組み立てる方法の一例としては、まず、支持部１１を形成すべく、折り曲げ片１１ａ〜１１ｄを折り曲げて、折り曲げられた折り曲げ片１１ｄを折り曲げ片１１aの背面に、折り曲げ片１１ｃを背板１の背面に、それぞれ貼着する。
【００８２】
この貼着時に、穴部１４から指を入れ、折り曲げ片１１ｄを折り曲げ片１１aに押しつける（折り曲げ片１１ｄ及び折り曲げ片１１aに圧力を加える）ことにより、容易に貼着作業が可能となり、かつ、貼着強度が増加する。また、穴部１３から指を入れ、折り曲げ片１１ｃを背板１の背面に押しつけた場合にも同様の効果がある。
【００８３】
支持部１１と同様の方法によって、支持部１５、支持部２１、及び支持部２３を形成する。
【００８４】
以上説明したように、本実施形態によれば、背板１、可動板３、及び背板２が、折り線４及び５を介して折り曲げ可能に順次連接され、階段状に折り曲げ可能とした背面板Ｂと、背板１の背面の左右両端に沿って、背板１と可動板３を連接する折り線４を超えて延設される支持部１１及び支持部１５と、を備える展示台Ｓ２であって、背板１、可動板３、及び背板２を垂直方向に展開して、背板１、可動板３、及び背板２が平坦状に配置される展開状態と、可動板３を水平方向へ折り曲げて、背板１、可動板３、及び背板２が階段状に配置される展示状態と、を選択可能とするように構成したため、種々の状況に応じて、多様な形態で商品を展示することができる。
【００８５】
なお、以上説明した実施形態は特許請求の範囲にかかる発明を限定するものではない。そして、上記実施形態の中で説明されている構成の組み合わせ全てが発明の課題解決に必須の手段であるとは限らない。
【００８６】
具体的には、例えば、支持部２１及び支持部２３を設けないように構成してもよい。また、支持部は断面略三角状に形成されるようにしたが、これに限定されず、断面略四角形、または円形にしてもよい。また、支持部は、背板に連接された折り返し片を折り曲げて形成されるようにしたが、これに限定されず、支持部と同一の形状を示す部材を別途用意し、これを背板の平面に取り付けるようにしてもよい。
【００８７】
［３．第３実施形態］
次に、図１４〜図１７を用いて、第３実施形態にかかる展示台について説明する。
【００８８】
第３実施形態にかかる展示台が、第２実施形態にかかる展示台Ｓ２と異なる点は、背板の前面に収納部を設けたことである。また、第１実施形態にかかる展示台Ｓ１と異なる点は、背板の背面に支持部を設けたことである。従って、共通する部材の構成、作用及び効果の詳しい説明については省略する。
【００８９】
まず、図１４〜図１６を用いて、第３実施形態にかかる展示台の使用状態について説明する。
【００９０】
図１４は第３実施形態にかかる展示台の吊下展示状態を示す斜視図であり、図１５は第３実施形態にかかる展示台の吊下展示状態から第２の載置展示状態への遷移を示す斜視図であり、図１６は第３実施形態にかかる展示台の載置展示状態を示す外観図である。
【００９１】
図１４に示すように、展示台Ｓ３は、吊下展示状態となっている。なお、この時、支持部１１及び支持部１５の下方端部（図１５のハッチング部分Ｈ）と、支持部２１及び支持部２３の上方端部（図１５のハッチング部分Ｈ´）が当接している。このように当接することによって、背板１、可動板３、及び背板２が、より平坦状に配置されることとなり、吊下展示状態おいて、より安定した状態で商品を展示することができる。
【００９２】
図１５に示すように、可動板３を水平方向に折り曲げると、背板１と可動板３は折り線４を介して、背板２と可動板３は折り線５を介してそれぞれ連接されているため、支持部１１及び支持部１５の下方端部（図１５のハッチング部分Ｈ）を設置面に当接させると、図１６に示すように、収納部５０Ａ及び収納部５０Ｂが階段状に配置される。以下に示す実施形態において、この状態を、第２の載置展示状態と定義する。また、このとき、背板１、可動板３及び背板２も階段状に配置されている。
【００９３】
このように、本実施形態における展示台Ｓ３は、平坦な場所しか有さない店舗でも商品を階段状に配置して展示することができるため、販売環境に応じて商品を展示することができる。
【００９４】
次に、図１７を用いて、第２実施形態にかかる展示台の詳細について説明する。
【００９５】
図１７は第３実施形態にかかる背面板の展開時の形状を示す展開図である。なお、収納部５０Ａ及び収納部５０Ｂの展開図については、第１の実施形態において詳細に説明したため、その説明を省略する。
【００９６】
図１７に示すように、背面板Ｃは、上述した板状の部材を、この背面板Ｃと略同じ形の金型により打ち抜いて形成される。打ち抜かれる際に、図１７における実線部分の切断が行われる。
【００９７】
以上説明したように、本実施形態によれば、背板１、可動板３、及び背板２が、折り線４及び５を介して折り曲げ可能に順次連接され、階段状に折り曲げ可能とした背面板Ｃと、背板１の前面に設けられる収納部５０Ａと、背板２の前面に設けられる収納部５０Ｂと、背板１の背面の左右両端に沿って、背板１と可動板３を連接する折り線４を超えて延設される支持部１１及び支持部１５と、を備える展示台Ｓ３であって、背板１、可動板３、及び背板２を垂直方向に展開して、背板１、可動板３、及び背板２が平坦状に配置される吊下展示状態と、可動板３を水平方向へ折り曲げて、支持部１１及び支持部１５の下方端部を設置面に当接させ、収納部５０Ａ及び収納部５０Ｂが階段状に配置される第２の載置展示状態と、を選択可能とするように構成したため、種々の状況に応じて、多様な形態で商品を展示することができる。
【００９８】
また、本実施形態によれば、背板２の背面の左右両端に沿って延設される支持部２１及び支持部２３を更に備え、上記吊下展示状態において、支持部１１及び支持部１５の下方端部と、支持部２１及び支持部２３の上方端部が当接するように構成したため、背板１、可動板３、及び背板２が、より平坦状に配置されることとなり、吊下展示状態おいて、より安定した状態で商品を載置することができる。
【００９９】
なお、以上説明した実施形態は特許請求の範囲にかかる発明を限定するものではない。そして、上記実施形態の中で説明されている構成の組み合わせ全てが発明の課題解決に必須の手段であるとは限らない。
【０１００】
［４．第４実施形態］
次に、図１８〜図２０を用いて、第４実施形態にかかる展示台について説明する。
【０１０１】
第４実施形態にかかる展示台が、第３実施形態にかかる展示台Ｓ３と異なる点は、支持部の中空部分の一部に紐（本願の紐状の部材の一例）を連通するように構成したことである。従って、共通する部材の構成、作用及び効果の詳しい説明については省略する。
【０１０２】
まず、図１８及び図１９を用いて、第４実施形態にかかる展示台の使用状態について説明する。
【０１０３】
図１８は第４実施形態にかかる展示台の吊下展示状態から第２の載置展示状態への遷移を示す斜視図であり、図１９は第４実施形態にかかる展示台の吊下展示状態を示す外観図である。
【０１０４】
図１８に示すように、紐４０は、支持部１１、支持部２１、支持部２３及び支持部１５の中空部分の一部を連通する連続して形成された紐である（即ち、端部が接続されたリング状の紐である）。
【０１０５】
具体的には、展示台Ｓ４の支持部１１に穿孔された穴部３１から挿入された紐４０は、支持部１１の中空部分を連通し、穴部３２から外部へ導出され、支持部２１に穿孔された穴部３３から、支持部２１の中空部分を連通し、穴部３４から外部へ導出される。そして、紐４０は、支持部２３に穿孔された穴部３８から挿入され、支持部２３の中空部分を連通し、穴部３７から外部へ導出され、支持部１５に穿孔された穴部３６から支持部１５の中空部分へ挿入され、穴部３５から外部へ導出される。
【０１０６】
図１９に示すように、吊下展示状態では、壁等の壁面に設置された吊下具Ｐに、紐４０引き上げて係止することにより、商品１００及び商品１０１を垂直方向に配列して展示することができる。
【０１０７】
この時、紐４０を引き上げることにより、支持部１１及び支持部１５の下方端部（図１１９のハッチング部分Ｈ）と、支持部２１及び支持部２３の上方端部（図２０のハッチング部分Ｈ´）が互いに当接する方向へ引き上げられ、背板１、可動板３、及び背板２が、より平坦状に配置されることとなり、吊下展示状態おいて、さらに安定した状態で商品を載置することができる。
【０１０８】
さらに、紐４０の一部を外部へ導出させることによって、紐４０が中空部分で互いに絡み合うことを防止することができる。
【０１０９】
次に、図２０を用いて、第４実施形態にかかる展示台の詳細について説明する。
【０１１０】
図２０は第４実施形態にかかる背面板の展開時の形状を示す展開図である。なお、収納部５０Ａ及び収納部５０Ｂの展開図については、第１の実施形態において詳細に説明したため、その説明を省略する。
【０１１１】
図２０に示すように、背面板Ｄは、上述した板状の部材を、この背面板Ｄと略同じ形の金型により打ち抜いて形成される。打ち抜かれる際に、図２０における実線部分の切断が行われる。
【０１１２】
さらに、上述した紐４０を支持部１１、支持部２１、支持部２３及び支持部１５の中空部分の一部を連通させるための穴部３１〜穴部３８が穿孔される。
【０１１３】
以上説明したように、本実施形態によれば、支持部１１、支持部２１、支持部２３及び支持部１５の中空部分の一部を連通する紐４０を設けるようにしたため、背板１、可動板３、及び背板２が、より平坦状に配置されることとなり、吊下展示状態おいて、さらに安定した状態で商品を載置することができる。
【０１１４】
なお、以上説明した実施形態は特許請求の範囲にかかる発明を限定するものではない。そして、上記実施形態の中で説明されている構成の組み合わせ全てが発明の課題解決に必須の手段であるとは限らない。
【０１１５】
具体的には、紐４０を、支持部の中空部分の全てに連通するように構成してもよい。紐４０は支持部２１及び支持部２３の下端部を介して外部へ導出されていれば、紐４０を引き上げたときに、持部１１及び支持部１５の下方端部と、支持部２１及び支持部２３の上方端部が互いに当接する方向へ引き上げられるからである。
【０１１６】
［５．第５実施形態］
次に、図２１〜図２４を用いて、第５実施形態にかかる展示台について説明する。
【０１１７】
第５実施形態にかかる展示台が、第４実施形態にかかる展示台Ｓ４と異なる点は、背板、可動板及び収納部をさらに備えた三段構成としたことである。従って、共通する部材の構成、作用及び効果の詳しい説明については省略する。なお、ここでは説明の便上、展示台Ｓ４の折り線４を介して可動板２００を連接し、折り線２０２を介して背板２０１を連接し、折り線２０３を介して背板３を連接するようにしたが（即ち、展示台Ｓ４の背板１と背板２の間に、背板２０１及び可動板２００を挿入するように構成）、かかる構成はこれに限定されるものではない。
【０１１８】
図２１は第５実施形態にかかる展示台の吊下展示状態を示す外観図であり、図２２は第５実施形態にかかる展示台の展示状態における側面図を示す図であり、図２３は第５実施形態にかかる背面板の展開時の形状を示す展開図であり、図２４は第５実施形態にかかる支持板の展開時の形状を示す展開図である。
【０１１９】
図２１に示すように、背板１、可動板２００、背板２０１、可動板３、及び背板２が垂直方向へ展開されて、これらが平坦状に配置されている。なお、このとき、背板１の前面に設けられた収納部５０Ａ、背板２０１の前面に設けられた収納部５０Ｃ、及び背板２の前面に設けられた収納部５０Ｂは、垂直方向に配置される。
【０１２０】
本実施形態における支持部は、上述した実施形態と同様に、背板の背面の左右両端に沿って設けられるため、このままでは、背板１の背面の左右両端に沿って、背板１と可動板３を連接する折り線４を超えて延設される支持部１１及び支持部１５は、階段展示状態において接地面に当接することができない（図２２参照）。
【０１２１】
なぜならば、図２３に示すように、展示台Ｓ５の背面板Ｅは、上述した板状の部材を、この背面板Ｅと略同じ形の金型により打ち抜いて形成される。打ち抜かれる際に、図１３における実線部分の切断が行われる。本実施形態では、背板２０１、可動板２０３、背板２０１の左右両端部に沿って延設される支持部２１０ａ〜２１０ｄ及び支持部２１１ａ〜２１１ｄが折り線を介してさらに設けられることとなるため、支持部１１及び支持部１５の長さが制限されてしまうからである。
【０１２２】
そこで、この長さが足りない部分を補うために、背板１の背部に支持板２３０が設けられるようになっている。具体的には、図２２に示すように、載置展示状態において、背板２３０の下方端部が接地面Ｑに当接することによって、収納部５０Ａ〜５０Ｃは階段状に配置されるようになっている。
【０１２３】
このように支持板２３０を設けることによって、三段以上の複数段を備える展示台を形成することができる。
【０１２４】
なお、以上説明した実施形態は特許請求の範囲にかかる発明を限定するものではない。そして、上記実施形態の中で説明されている構成の組み合わせ全てが発明の課題解決に必須の手段であるとは限らない。
【０１２５】
具体的には、支持板２３０の形状は板状の部材を適用するようにしたが、これに限定されず、断面略四角形、または円形状の部材を適用してもよい。
【０１２６】
また、支持板２３０の長さとして、図２２に示すように、背板１を超えて設置面Ｑに当接するまでの距離が適用されているが、これに限定されず任意に選択することができる。具体的には、支持板２３０の長さとして、背面板１の下方端部から設置面Ｑに当接するまでの距離と同じ長さが確保されていればよい。
【符号の説明】
【０１２７】
１    背板
２    背板
３    可動板
４    折り線
５    折り線
６    穴部
７    穴部
８    紐
９    挿入穴
１０  挿入穴
５０Ａ  収納部
５０Ｂ  収納部
Ｓ１  展示台
Ｓ２  展示台
Ｓ３  展示台
Ｓ４  展示台
Ｓ５  展示台
【図１】
0005699371.tif 000002
【図２】
0005699371.tif 000003
【図３】
0005699371.tif 000004
【図４】
0005699371.tif 000005
【図５】
0005699371.tif 000006
【図６】
0005699371.tif 000007
【図７】
0005699371.tif 000008
【図８】
0005699371.tif 000009
【図９】
0005699371.tif 000010
【図１０】
0005699371.tif 000011
【図１１】
0005699371.tif 000012
【図１２】
0005699371.tif 000013
【図１３】
0005699371.tif 000014
【図１４】
0005699371.tif 000015
【図１５】
0005699371.tif 000016
【図１６】
0005699371.tif 000017
【図１７】
0005699371.tif 000018
【図１８】
0005699371.tif 000019
【図１９】
0005699371.tif 000020
【図２０】
0005699371.tif 000021
【図２１】
0005699371.tif 000022
【図２２】
0005699371.tif 000023
【図２３】
0005699371.tif 000024
【図２４】
0005699371.tif 000025